(57)【要約】【課題】簡易に飛行データを記録可能とする。【解決手段】飛行データ記録システム１０は、撮像装置１１０と機内記録部１６０と抽出部２２２とを備える。撮像装置１１０は、パイロットに装着可能に構成され、航空機の操縦室内の計器を撮像する。機内記録部１６０は、撮像装置１１０によって撮像された計器の画像を示す画像データを記録する。抽出部２２２は、機内記録部１６０に記録された画像データから計器によって示される飛行時の飛行データを抽出する。【選択図】図２
2019116127.tif 000002
【特許請求の範囲】
【請求項１】
パイロットに装着可能に構成され、航空機の操縦室内の計器を撮像する撮像装置と、
前記撮像装置によって撮像された前記計器の画像を示す画像データを記録する記録部と、
前記記録部に記録された画像データから前記計器によって示される飛行時の飛行データを抽出する抽出部と、
を備える飛行データ記録システム。
【請求項２】
前記撮像装置は、前記パイロットが操縦する操縦装置を撮像し、
前記記録部は、前記撮像装置によって撮像された前記操縦装置の画像を示す画像データを記録し、
前記抽出部は、前記記録部に記録された画像データから前記操縦装置によって示される飛行時の飛行データを抽出する請求項１に記載の飛行データ記録システム。
【請求項３】
前記抽出部は、前記航空機が飛行を終了した後において、前記記録部に記録された画像データに基づいた飛行時の飛行データの抽出を行う請求項１または２に記載の飛行データ記録システム。
【請求項４】
前記撮像装置による画像データから抽出された飛行データである抽出飛行データに加工を施して前記抽出飛行データとは異なる飛行データである加工飛行データを導出するデータ加工部を備える請求項１から３のいずれか１項に記載の飛行データ記録システム。
【請求項５】
前記データ加工部は、前記航空機が飛行を終了した後において、前記加工飛行データを導出する請求項４に記載の飛行データ記録システム。
【請求項６】
前記撮像装置と一体的に構成され、前記撮像装置の位置を検出する位置検出装置を備え、
前記記録部は、前記位置検出装置によって検出された前記撮像装置の位置を示す位置データを記録し、
前記データ加工部は、前記記録部に記録された前記位置データと、前記記録部に記録された前記撮像装置による画像データとに基づいて前記航空機の位置を導出する請求項４または５に記載の飛行データ記録システム。
【請求項７】
前記撮像装置と一体的に構成され、前記撮像装置の姿勢および移動態様を検出する慣性計測装置を備え、
前記記録部は、前記慣性計測装置によって検出された姿勢を示す姿勢データおよび移動態様を示す移動態様データを記録し、
前記データ加工部は、前記記録部に記録された前記姿勢データおよび前記移動態様データと、前記撮像装置による画像データとに基づいて、前記航空機の姿勢および移動態様を導出する請求項４から６のいずれか１項に記載の飛行データ記録システム。
【発明の詳細な説明】
【技術分野】
【０００１】
本発明は、飛行データ記録システムに関する。
【背景技術】
【０００２】
航空機には、航空機の水平位置、高度、姿勢、速度などの各種の飛行データを記録する飛行データ記録装置（フライトデータレコーダ）が搭載される場合がある。
【０００３】
また、特許文献１には、計器盤に操舵量表示装置を取り付けて、その表示量と、計器盤の複数の計器の指針の指示とを、操縦席の後方の位置において機体に固定されたカメラによって撮像する技術が開示されている。
【先行技術文献】
【特許文献】
【０００４】
【特許文献１】特開平４−１６６４９９号公報
【発明の概要】
【発明が解決しようとする課題】
【０００５】
飛行データ記録装置が搭載されていない航空機に、飛行データ記録装置を後から搭載する場合がある。この場合、後から搭載される飛行データ記録装置は、機体の構成、電線の配線、電子機器室（アビオベイ）の位置などにより、設置位置および設置作業について制約を受ける。このため、飛行データ記録装置を追加する改修作業が大掛かりとなり、煩雑な作業を強いられていた。
【０００６】
そこで、本発明は、簡易に飛行データを記録可能な飛行データ記録システムを提供することを目的としている。
【課題を解決するための手段】
【０００７】
上記課題を解決するために、本発明の飛行データ記録システムは、パイロットに装着可能に構成され、航空機の操縦室内の計器を撮像する撮像装置と、撮像装置によって撮像された計器の画像を示す画像データを記録する記録部と、記録部に記録された画像データから計器によって示される飛行時の飛行データを抽出する抽出部と、を備える。
【０００８】
また、撮像装置は、パイロットが操縦する操縦装置を撮像し、記録部は、撮像装置によって撮像された操縦装置の画像を示す画像データを記録し、抽出部は、記録部に記録された画像データから操縦装置によって示される飛行時の飛行データを抽出してもよい。
【０００９】
また、抽出部は、航空機が飛行を終了した後において、記録部に記録された画像データに基づいた飛行時の飛行データの抽出を行ってもよい。
【００１０】
また、撮像装置による画像データから抽出された飛行データである抽出飛行データに加工を施して抽出飛行データとは異なる飛行データである加工飛行データを導出するデータ加工部を備えてもよい。
【００１１】
また、データ加工部は、航空機が飛行を終了した後において、加工飛行データを導出してもよい。
【００１２】
また、撮像装置と一体的に構成され、撮像装置の位置を検出する位置検出装置を備え、記録部は、位置検出装置によって検出された撮像装置の位置を示す位置データを記録し、データ加工部は、記録部に記録された位置データと、記録部に記録された撮像装置による画像データとに基づいて航空機の位置を導出してもよい。
【００１３】
また、撮像装置と一体的に構成され、撮像装置の姿勢および移動態様を検出する慣性計測装置を備え、記録部は、慣性計測装置によって検出された姿勢を示す姿勢データおよび移動態様を示す移動態様データを記録し、データ加工部は、記録部に記録された姿勢データおよび移動態様データと、撮像装置による画像データとに基づいて、航空機の姿勢および移動態様を導出してもよい。
【発明の効果】
【００１４】
本発明によれば、簡易に飛行データを記録することが可能となる。
【図面の簡単な説明】
【００１５】
【図１】第１実施形態による飛行データ記録システムが適用される航空機の操縦室内を示す概略図である。
【図２】第１実施形態による飛行データ記録システムの構成を示すブロック図である。
【図３】第２実施形態による飛行データ記録システムの構成を示すブロック図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（第１実施形態）
図１は、第１実施形態による飛行データ記録システム１０が適用される航空機１の操縦室内を示す概略図である。
【００１８】
操縦室内の前方側には、計器盤３が設けられている。計器盤３には、航空機１の操縦に必要な各種の数値や指示値を表示する計器４が配置されている。計器４としては、例えば、航空機１の機体の水平面での位置を表示する位置表示計、機体の高度を表示する高度表示計、機体の姿勢を表示する姿勢表示計、磁方位を表示する磁方位計、機体内の温度を表示する温度計、機体の上昇率および下降率を表示する昇降計、エンジンの出力を表示する出力計などがある。なお、計器盤３には、例示した計器４に限らず、パイロット２が航空機１の操縦において確認する必要のあるすべてのデータについての計器４が配置されている。
【００１９】
計器盤３の近傍には、操縦装置５が設けられている。操縦装置５は、例えば、操縦桿である。パイロット２は、操縦装置５を通じて航空機１を操作する。なお、操縦装置５は、操縦桿に限らず、例えば、計器盤３やその近傍に配置される各種のレバーやスイッチなどの人の操作を受け付ける装置であればよい。例えば、操縦装置５は、ラダーペダル、エンジンスロットルレバー、フラップレバー、各種スイッチなどを含んでもよい。
【００２０】
パイロット２は、ヘルメット６を装着した状態で航空機１を操作する。ヘルメット６の頂部には、飛行データ記録システム１０を構成する記録装置１００が固定されている。記録装置１００は、撮像装置１１０を含んで構成される。撮像装置１１０は、例えば、ＣＣＤカメラなどである。
【００２１】
撮像装置１１０は、操縦室内の計器４および操縦装置５を撮像する。撮像装置１１０は、パイロット２の前後左右に３６０°の範囲で撮像することが可能となっている。また、撮像装置１１０は、パイロット２の上方の＋９０°からパイロット２の下方の−９０°の範囲で撮像することが可能となっている。例えば、撮像装置１１０は、パイロット２の前方側を撮像する前方撮像装置と、パイロット２の後方側を撮像する後方撮像装置とから構成される。前方撮像装置は、前方側において左右方向に１８０°の範囲および上下方向に１８０°の範囲の画角を有する。また、後方撮像装置は、後方側において左右方向に１８０°の範囲および上下方向に１８０°の範囲の画角を有する。なお、撮像装置１１０は、例示した範囲で撮像可能なものに限らず、少なくとも、計器盤３（計器４および操縦装置５）を撮像することができればよい。また、撮像装置１１０は、計器盤３だけでなく、操縦室内から見える機外の様子を撮像してもよい。
【００２２】
図２は、第１実施形態による飛行データ記録システム１０の構成を示すブロック図である。図２中、信号の流れを破線の矢印で示す。飛行データ記録システム１０は、記録装置１００および抽出装置２００を含んで構成される。
【００２３】
記録装置１００は、パイロット２が装着するヘルメット６に固定される。記録装置１００は、撮像装置１１０、位置検出装置１２０、慣性計測装置１３０、ＭＥＭＳ（Micro Electro Mechanical Systems）１４０、収音装置１５０、機内記録部１６０、機内インターフェース部１７０、機内制御部１８０およびバッテリ１９０を含んで構成される。
【００２４】
位置検出装置１２０は、撮像装置１１０との位置関係が変化しないように、撮像装置１１０と一体的に構成（固定）されている。位置検出装置１２０は、例えば、ＧＮＳＳ（Global Navigation Satellite System）受信機である。位置検出装置１２０は、複数の衛星から送信される電波を受信する。位置検出装置１２０は、受信した電波に基づいて、位置検出装置１２０の位置、つまり、撮像装置１１０の位置（緯度および経度）を示す位置データを取得する。
【００２５】
また、位置検出装置１２０は、複数の衛星の原子時計に基づいた時刻を測定する。記録装置１００では、位置検出装置１２０によって測定された時刻が用いられる。位置検出装置１２０によって得られた位置データは、時刻に関連付けられて機内記録部１６０に格納される。なお、位置検出装置１２０では、１秒周期で時刻が更新されるため、位置検出装置１２０による時刻が、機内制御部１８０に内蔵されているリアルタイムクロックによって補間されてもよい。また、記録装置１００では、位置検出装置１２０によって測定された時刻が用いられるが、機内制御部１８０のリアルタイムクロックによる時刻が用いられてもよい。
【００２６】
撮像装置１１０が撮像した画像データは、位置データと同様に、時刻に関連付けられて機内記録部１６０に格納される。
【００２７】
慣性計測装置１３０は、撮像装置１１０と一体的に構成（固定）されている。慣性計測装置１３０は、例えば、ＩＭＵ（Inertial Measurement Unit）である。慣性計測装置１３０は、撮像装置１１０の姿勢および移動態様を検出する。撮像装置１１０の姿勢は、具体的には、撮像装置１１０における互いに直交する３軸の各軸周りの角度（ロール、ピッチ、ヨー）である。撮像装置１１０の移動態様は、例えば、撮像装置１１０における互いに直交する３軸の各軸方向の加速度、および、速度などである。
【００２８】
具体的には、慣性計測装置１３０は、撮像装置１１０の各軸方向の加速度を検出する加速度計と、撮像装置１１０の各軸周りの角速度を検出する角速度計とを含んで構成される。
【００２９】
ここで、検出された角速度を積分することで、撮像装置１１０の各軸周りの角度を導出することができる。また、検出された角速度を微分することで、撮像装置１１０の各軸周りの角加速度を導出することができる。また、検出された加速度を積分することで、撮像装置１１０の各軸方向の速度を導出することができる。このとき、積分によって導出される角度および速度については、時間とともにドリフトするため、位置検出装置１２０を用いて補正が行われる。なお、補正は、位置検出装置１２０および重力センサを用いて行われてもよい。補正方法は、既存の技術を用いればよいため、説明を省略する。
【００３０】
慣性計測装置１３０による撮像装置１１０の姿勢を示す姿勢データ（具体的には、撮像装置１１０の角度を示す角度データ）、および、移動態様を示す移動態様データ（具体的には、撮像装置１１０の速度を示す速度データ、加速度を示す加速度データ、角速度を示す角速度データ、角加速度を示す角加速度データ）は、時刻に関連付けられて機内記録部１６０に格納される。
【００３１】
ＭＥＭＳ１４０は、撮像装置１１０と一体的に構成（固定）されている。ＭＥＭＳ１４０は、各種のセンサ、アクチュエータおよび電子回路を微細加工して集積したデバイスである。ＭＥＭＳ１４０は、例えば、機内の圧力、機内の温度および磁方位を検出する。検出された圧力を示す圧力データ、温度を示す温度データ、磁方位を示す磁方位データは、時刻に関連付けられて機内記録部１６０に格納される。なお、ＭＥＭＳ１４０は、慣性計測装置１３０と同様に、撮像装置１１０の各軸方向の加速度および各軸周りの角速度を検出してもよい。
【００３２】
収音装置１５０は、例えば、マイクロフォンであり、操縦室内の音を収音する。収音装置１５０によって得られた音データは、時刻に関連付けられて機内記録部１６０に格納される。
【００３３】
機内記録部１６０は、例えば、フラッシュメモリである。機内記録部１６０には、撮像装置１１０による画像データ、位置検出装置１２０による位置データ、慣性計測装置１３０による姿勢データおよび移動態様データ、ＭＥＭＳ１４０による圧力データ、温度データおよび磁方位データ、収音装置１５０による音データが時刻に関連付けられて格納される。
【００３４】
機内インターフェース部１７０は、例えば、ＵＳＢ（Universal Serial Bus）端子である。機内インターフェース部１７０は、ＵＳＢケーブルなどによって抽出装置２００に接続されることで、抽出装置２００との間でデータの送受信を行う。
【００３５】
機内制御部１８０は、中央処理装置（ＣＰＵ）、プログラム等が格納されたＲＯＭ、ワークエリアとしてのＲＡＭ等を含む半導体集積回路で構成される。機内制御部１８０は、記録装置１００全体を統括制御する。バッテリ１９０は、記録装置１００の各部を動作させるための電力を記録装置１００の各部に供給する。
【００３６】
抽出装置２００は、例えば、地上におけるパーソナルコンピュータなどである。なお、抽出装置２００は、パーソナルコンピュータに限らず、例えば、専用装置として構成されてもよいし、タブレットコンピュータのような持ち運び可能なデバイスに組み込まれてもよい。抽出装置２００は、機外インターフェース部２１０、機外制御部２２０、機外記録部２３０を含んで構成される。
【００３７】
機外インターフェース部２１０は、例えば、ＵＳＢ端子である。機外インターフェース部２１０は、例えば、ＵＳＢケーブルなどによって記録装置１００に接続されることで、記録装置１００との間でデータの送受信を行う。ここでは、記録装置１００の機内インターフェース部１７０と抽出装置２００の機外インターフェース部２１０とが、航空機１の飛行が終了した後（つまり、着陸後）において接続される。これにより、記録装置１００によって飛行時に記録された各種のデータ（画像データなど）が、飛行が終了した後において、抽出装置２００に送信される。なお、機内インターフェース部１７０および機外インターフェース部２１０は、有線によってデータの送受信を行う態様に限らず、無線によってデータの送受信を行ってもよい。
【００３８】
機外制御部２２０は、中央処理装置（ＣＰＵ）、プログラム等が格納されたＲＯＭ、ワークエリアとしてのＲＡＭ等を含む半導体集積回路で構成される。機外制御部２２０は、抽出装置２００全体を統括制御する。機外制御部２２０は、プログラムを実行することで、抽出部２２２およびデータ加工部２２４として機能する。
【００３９】
機外記録部２３０は、例えば、ハードディスクドライブである。機外記録部２３０は、機外インターフェース部２１０を介して記録装置１００から受信した各種のデータ（画像データなど）を記録する。また、機外記録部２３０は、抽出部２２２によって得られたデータおよびデータ加工部２２４によって得られたデータを記録する。
【００４０】
抽出部２２２は、記録装置１００によって記録された画像データから、計器４および操縦装置５によって示される飛行時の飛行データを抽出する。飛行データは、航空機１の運行に関する各種のデータ（例えば、姿勢データや高度データなど）である。以下、抽出部によって抽出された飛行データを抽出飛行データと呼ぶことがある。抽出飛行データは、撮像装置１１０による画像から直接に導き出されるデータである。
【００４１】
ここで、計器４の画像には、計器４における数値や指針の指示値などが表示されている。そこで、抽出部２２２は、計器４の画像についての画像解析を行って、計器４によって示される飛行データを抽出する。例えば、抽出部２２２は、姿勢表示計の画像から目盛りと姿勢を示す指針とを抽出し、抽出した目盛りと指針とによって姿勢データを導出する。また、抽出部２２２では、位置検出装置１２０、慣性計測装置１３０およびＭＥＭＳ１４０から検出することができないデータ（例えば、エンジンの出力を示す出力データ）を抽出することができる。
【００４２】
また、操縦装置５の画像には、操縦装置５の操作量や操作状態などが表示されている。そこで、抽出部２２２は、操縦装置５の画像についての画像解析を行って、操縦装置５によって示される飛行データを抽出する。例えば、抽出部２２２は、操縦桿の画像から操縦桿の傾倒方向と傾倒角度とを抽出し、抽出した傾倒方向と傾倒角度とによって旋回方向および旋回角度を導出する。なお、抽出部２２２は、操縦室内から見える機外の様子を示す画像の時間変化に基づいて、旋回方向および旋回角度を導出してもよい。
【００４３】
抽出部２２２は、抽出飛行データの抽出を、画像データに含まれるすべての計器４およびすべての操縦装置５の画像について行う。このため、抽出装置２００は、航空機１の飛行時の飛行データをすべて取得することができる。抽出部２２２による抽出飛行データは、時刻に関連付けられて機外記録部２３０に格納される。
【００４４】
なお、抽出部２２２は、計器４や操縦装置５がパイロット２の手によって遮られて一時的に撮像されていない場合、撮像されていない期間の飛行データを、撮像されている期間の飛行データから補完して生成してもよい。また、抽出部２２２は、撮像されていない期間の飛行データ（例えば、姿勢表示計の画像から抽出されるべき姿勢データ）を、撮像装置１１０以外の装置により取得された飛行データ（例えば、慣性計測装置１３０により取得された姿勢データ）によって補完してもよい。
【００４５】
データ加工部２２４は、抽出部２２２による抽出飛行データに加工を施して、抽出飛行データとは異なる飛行データである加工飛行データを導出する。加工飛行データは、複数の抽出飛行データに基づいて間接的に導出されるデータである。データ加工部２２４による加工飛行データは、時刻に関連付けられて機外記録部２３０に格納される。
【００４６】
例えば、データ加工部２２４は、抽出飛行データのうちの位置データや高度データの推移に基づいて、航空機１が通った移動経路を示す移動経路データを導出する。また、データ加工部２２４は、位置データや高度データとそれらに対応する気象データとの推移に基づいて、航空機１の飛行環境の推移（例えば、台風内を通過したかなど）を示す環境データを導出する。このような加工飛行データは、航空機１のトラブルの原因調査などにおいて、有効に利用される。
【００４７】
ここで、抽出装置２００は、撮像装置１１０による画像データだけでなく、位置検出装置１２０による位置データ、慣性計測装置１３０による姿勢データおよび移動態様データも受信する。これら位置データ、姿勢データおよび移動態様データは、画像データから抽出されたものではなく、位置検出装置１２０および慣性計測装置１３０によって検出されたものである。位置検出装置１２０および慣性計測装置１３０は、撮像装置１１０と一体的に構成されているため、位置データ、姿勢データおよび移動態様データは、撮像装置１１０を基準とした値となる。しかし、位置検出装置１２０、慣性計測装置１３０および撮像装置１１０は、パイロット２の動きに応じて動く。このため、撮像装置１１０の各軸と航空機１の各軸とは異なる。
【００４８】
そこで、データ加工部２２４は、撮像装置１１０を基準とした位置データ、姿勢データおよび移動態様データを、撮像装置１１０による画像データに基づいて、航空機１を基準とした位置データ、姿勢データおよび移動態様データに座標変換する。つまり、データ加工部２２４は、撮像装置１１０を基準とした位置データ等から、パイロット２の動き分を引いて、航空機１を基準とした位置データ等を導出する。以下、座標変換された飛行データ（位置データ、姿勢データおよび移動態様データ）を変換飛行データと呼ぶことがある。データ加工部２２４による変換飛行データは、時刻に関連付けられて機外記録部２３０に格納される。
【００４９】
まず、画像データにより示される画像において基準点の設定が行われる。基準点は、パイロット２の動きを導出するための指標となる位置である。基準点は、例えば、計器盤３自体における上側中央、下側中央、左側中央、右側中央の４箇所に設定される。なお、基準点の数は、４個に限らず、２個以上の複数個であればよい。また、基準点は、この例に限らず、例えば、所定の計器４の中央などに設定されてもよい。また、基準点の設定については、データ加工部２２４が画像解析を行うことで自動的に設定してもよいし、抽出装置２００を使用するユーザが手動で設定してもよい。データ加工部２２４は、時間の経過に応じて変化する画像において基準点の位置を追従することで座標変換を行う。なお、座標変換が不十分である場合、基準点の再設定を行った後に、座標変換を再度行ってもよい。
【００５０】
例えば、パイロット２が前方に平行移動したとすると、計器盤３の右側中央の基準点は右側に移動し、計器盤３の左側中央の基準点は左側に移動する。このとき、右側中央の基準点および左側中央の基準点の画像が拡大されるため、撮像装置１１０と右側中央の基準点との距離、および、撮像装置１１０と左側中央の基準点との距離が短くなる。このため、データ加工部２２４は、撮像装置１１０と基準点との距離の変化量から撮像装置１１０が前後方向に移動していることを判断する。そして、データ加工部２２４は、位置検出装置１２０による位置データから、右側中央の基準点の位置の変化量または左側中央の基準点の位置の変化量を引く。これにより、パイロット２の前後方向の移動分を除いた航空機１の位置データが導出される。
【００５１】
また、例えば、パイロット２が右方向に平行移動したとすると、計器盤３の右側中央の基準点および左側中央の基準点は左方向に移動する。このとき、右側中央の基準点の画像が拡大され、左側中央の基準点の画像が縮小される。つまり、撮像装置１１０と右側中央の基準点との距離が短くなり、撮像装置１１０と左側中央の基準点との距離が長くなる。このため、データ加工部２２４は、撮像装置１１０と右側中央の基準点との距離の変化量、および、撮像装置１１０と左側中央の基準点との距離の変化量から、撮像装置１１０が左右方向に移動していることを判断する。そして、データ加工部２２４は、位置検出装置１２０による位置データから、右側中央の基準点の位置の変化量または左側中央の基準点の位置の変化量を引く。これにより、パイロット２の左右方向の移動分を除いた航空機１の位置データが導出される。なお、パイロット２が上下方向に平行移動する場合については、左右方向の平行移動の場合と同様にして、計器盤３の上側中央の基準点および下側中央の基準点に基づいて、航空機１の位置データが導出される。
【００５２】
また、例えば、パイロット２がヨー方向に右回転したとすると、計器盤３の右側中央の基準点および左側中央の基準点は左方向に移動する。このとき、右側中央の基準点の画像が縮小され、左側中央の基準点の画像が拡大される。つまり、撮像装置１１０と右側中央の基準点との距離が長くなり、撮像装置１１０と左側中央の基準点との距離が短くなる。このため、データ加工部２２４は、撮像装置１１０と右側中央の基準点との距離の変化量、および、撮像装置１１０と左側中央の基準点との距離の変化量から、撮像装置１１０がヨー方向に回転していることを判断する。そして、データ加工部２２４は、慣性計測装置１３０による姿勢データから、右側中央の基準点の位置の変化量に応じた角度の変化量、または、左側中央の基準点の位置の変化量に応じた角度の変化量を引く。これにより、パイロット２のヨー方向の回転分を除いた航空機１の姿勢データが導出される。なお、パイロット２がピッチ方向に回転する場合については、ヨー方向の回転の場合と同様にして、計器盤３の上側中央の基準点および下側中央の基準点に基づいて、航空機１の姿勢データが導出される。
【００５３】
また、例えば、パイロット２がロール方向に右回転したとすると、撮像装置１１０と右側中央の基準点との距離、および、撮像装置１１０と左側中央の基準点との距離はほとんど変わらない。このため、データ加工部２２４は、撮像装置１１０と右側中央の基準点との距離の変化量、および、撮像装置１１０と左側中央の基準点との距離の変化量から、撮像装置１１０がロール方向に回転していることを判断する。そして、データ加工部２２４は、慣性計測装置１３０による姿勢データから、右側中央の基準点の位置の変化量に応じた角度の変化量、または、左側中央の基準点の位置の変化量に応じた角度の変化量を引く。これにより、パイロット２のロール方向の回転分を除いた航空機１の姿勢データが導出される。
【００５４】
また、データ加工部２２４は、撮像装置１１０が平行移動していると判断した場合、慣性計測装置１３０による速度データから、単位時間あたりの基準点の位置の変化量を引き、慣性計測装置１３０による加速度データから、単位時間あたりの基準点の位置の変化量を微分した値を引く。これにより、パイロット２の動きを除いた航空機１の速度データおよび加速度データが導出される。
【００５５】
また、データ加工部２２４は、撮像装置１１０が回転していると判断した場合、慣性計測装置１３０による角速度データから、単位時間あたりの基準点の角度の変化量を引き、慣性計測装置１３０による角加速度データから、単位時間あたりの基準点の角度の変化量を微分した値を引く。これにより、パイロット２の動きを除いた航空機１の角速度データおよび角加速度データが導出される。
【００５６】
このようにして導出された変換飛行データは、例えば、抽出飛行データにおける姿勢データなどのバックアップデータとして利用できる。なお、変換飛行データの利用態様は、抽出飛行データのバックアップに限らない。例えば、変換飛行データと抽出飛行データとにおける同種のデータについての平均値を、その種の飛行データとして用いてもよい。
【００５７】
以上のように、第１実施形態による飛行データ記録システム１０では、パイロット２に装着される撮像装置１１０によって計器４および操縦装置５が撮像され、計器４および操縦装置５の飛行時の画像を示す画像データが機内記録部１６０に記録される。そして、飛行データ記録システム１０では、飛行が終了した後において、機内記録部１６０に記録された画像データから計器４および操縦装置５によって示される飛行時の飛行データが抽出される。このように、飛行データ記録システム１０では、記録装置１００が固定されたヘルメット６をパイロット２が装着するだけで、飛行データの記録が可能となる。つまり、飛行データ記録システム１０では、飛行データ記録装置を追加する大掛かりな改修作業を行う必要がない。
【００５８】
したがって、第１実施形態による飛行データ記録システム１０によれば、簡易に飛行データを記録することが可能となる。
【００５９】
また、飛行データ記録システム１０では、撮像装置１１０がパイロット２に装着されるため、撮像装置１１０が操縦席の後方の位置において機体に固定される態様に比べ、パイロット２自身によって計器４および操縦装置５の撮像が遮られることを抑えることができる。
【００６０】
また、飛行データ記録システム１０では、抽出飛行データだけでなく、変換飛行データが導出される。このため、飛行データ記録システム１０では、抽出飛行データの一部が十分に取得できなかった場合などにおいて、変換飛行データで補完することができる。したがって、飛行データ記録システム１０では、抽出飛行データのみを取得する態様に比べ、飛行データを確実に取得することが可能となる。
【００６１】
なお、飛行データ記録システム１０では、慣性計測装置１３０およびＭＥＭＳ１４０が記録装置１００に設けられていた。しかし、慣性計測装置１３０およびＭＥＭＳ１４０は、記録装置１００に設けられなくてもよい。必要な飛行データは、撮像装置１１０による画像データによって得られるからである。なお、航空機１の位置を計器盤３に表示させる構成とするのであれば、画像データによって位置データが得られるようになるため、記録装置１００に位置検出装置１２０が設けられなくてもよい。
【００６２】
また、飛行データ記録システム１０では、抽出部２２２とデータ加工部２２４とが設けられていた。しかし、飛行データ記録システム１０は、抽出部２２２とデータ加工部２２４との両方が設けられる態様に限らず、少なくとも抽出部２２２が設けられていればよく、データ加工部２２４については、設けられていなくてもよい。
【００６３】
また、飛行データ記録システム１０では、撮像装置１１０がパイロット２の頭部に装着されるため、撮像された画像は、パイロット２の向いている方向に対応付けられる。このため、飛行データ記録システム１０では、撮像された画像の画像データを、航空機１の飛行データの抽出に用いるだけでなく、パイロット２の視線に関するデータとして用いることが可能である。例えば、飛行データ記録システム１０は、パイロット２が所定のタイミングで所定の計器４の確認を行ったか否かを判断する指標として利用することが可能である。また、飛行データ記録システム１０は、未熟練のパイロット２の操縦教育などに利用することが可能である。
【００６４】
また、記録装置１００は、バッテリ１９０から供給される電力によって動作する。このため、飛行データ記録システム１０では、機体から記録装置１００に電力を供給するための電源線を設ける必要がなく、配線作業などを行う必要がない。その結果、簡易に飛行データ記録システム１０を導入することができる。また、飛行データ記録システム１０では、記録装置１００がヘルメット６に固定され、機体と記録装置１００との間に電源線が設けられないため、パイロット２の飛行操作が妨げられない。
【００６５】
なお、慣性計測装置１３０により得られる角度などのドリフトを補正する方法は、既存の技術に限らず、例えば、抽出飛行データを用いた補正が行われてもよい。
【００６６】
（第２実施形態）
第１実施形態による飛行データ記録システム１０は、飛行が終了した後において画像データから飛行データを抽出していた。これに対し、第２実施形態による飛行データ記録システムは、飛行時において画像データからリアルタイムに飛行データを抽出する。
【００６７】
図３は、第２実施形態による飛行データ記録システム３０の構成を示すブロック図である。第２実施形態による飛行データ記録システム３０は、第１実施形態における抽出装置２００が設けられず、記録装置１００に代えて記録装置３００が設けられている点において第１実施形態の飛行データ記録システム１０と異なる。飛行データ記録システム３０では、記録装置３００に抽出装置２００の機能が含まれている。
【００６８】
記録装置３００は、機内制御部１８０に代えて機内制御部３８０が設けられている。機内制御部３８０は、プログラムを実行することで、抽出部３８２およびデータ加工部３８４として機能する。
【００６９】
抽出部３８２は、抽出飛行データの抽出を、飛行時において画像データが蓄積されるごとに行う。このようにリアルタイムで抽出された抽出飛行データは、時刻に関連付けられて機内記録部１６０に格納されるとともに、送信部３７０に送られる。
【００７０】
データ加工部３８４は、加工飛行データの導出を、飛行時において画像データが蓄積されるごとに行う。例えば、航空機１の離陸位置から現在位置までの移動経路を示す移動経路データを導出する。また、データ加工部３８４は、変換飛行データの導出を、画像データが蓄積されるごとに行う。このようにリアルタイムで導出された加工飛行データおよび変換飛行データは、時刻に関連付けられて機内記録部１６０に格納されるとともに、送信部３７０に送られる。
【００７１】
送信部３７０は、記録装置３００が取得した各種データを、飛行の終了後において、地上に設けられるパーソナルコンピュータなどに送信する。また、送信部３７０は、記録装置３００が取得した各種のデータを、航空管制室の受信装置などの所定の装置宛てに無線によってリアルタイムで送信してもよい。送信されるデータは、例えば、抽出飛行データ、加工飛行データ、変換飛行データなどである。
【００７２】
以上のように、第２実施形態による飛行データ記録システム３０では、抽出飛行データ、加工飛行データおよび変換飛行データが飛行時に得られる。このため、第２実施形態による飛行データ記録システム３０によれば、飛行の終了後における抽出飛行データ、加工飛行データおよび変換飛行データの導出時間を削減することができ、飛行が終了（着陸）して直ぐに、これら各データを利用することが可能となる。
【００７３】
また、飛行データ記録システム３０では、抽出飛行データ、加工飛行データおよび変換飛行データをリアルタイムに地上に送信すれば、これら各データを航空機１の飛行中においても利用することができ、航空機１の事故を未然に防止することが可能となる。
【００７４】
また、第２実施形態において、航空機１における予め決められた飛行計画が機内記録部１６０に格納されており、抽出部３８２は、抽出飛行データが所定の許容範囲内で飛行計画に一致するか否かを判断してもよい。そして、記録装置３００には、抽出飛行データが所定の許容範囲を超えて飛行計画と異なる場合にその旨を報知する報知部が設けられてもよい。なお、加工飛行データおよび変換飛行データについても、抽出飛行データと同様に、飛行計画と異なる場合に報知されてもよい。
【００７５】
なお、第２実施形態では、抽出部３８２およびデータ加工部３８４の両方の機能が記録装置３００に設けられていた。しかし、抽出部３８２およびデータ加工部３８４の両方の機能が記録装置３００に設けられる態様に限らず、例えば、抽出部３８２の機能を記録装置３００に設け、データ加工部３８４の機能を記録装置３００に設けないようにしてもよい。この場合、データ加工部３８４は、第１実施形態の抽出装置２００のような地上に設けられる装置に搭載されてもよい。また、第２実施形態において、データ加工部３８４の一部の機能（例えば、変換飛行データを導出する機能）を記録装置３００に設け、データ加工部３８４の他の機能（例えば、加工飛行データを導出する機能）を記録装置３００に設けないようにしてもよい。この場合、データ加工部３８４の他の機能が、地上に設けられる装置に搭載されてもよい。
【００７６】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００７７】
上記各実施形態において、撮像装置１１０は、計器盤３（計器４および操縦装置５）および操縦室内から見える機外の様子を撮像していた。しかし、撮像装置１１０によって少なくとも計器４の撮像が行われればよく、操縦装置５および機外の様子の撮像が行われていなくてもよい。
【００７８】
上記各実施形態において、記録装置１００、３００は、ヘルメット６に固定されていた。しかし、記録装置１００、３００は、ヘルメット６を介してパイロット２に装着される態様に限らない。例えば、記録装置１００、３００は、パイロット２の頭部に装着されるバンドに固定されてもよい。また、記録装置１００、３００が固定される位置は、ヘルメット６の頂部に限らない。撮像装置１１０は、計器４および操縦装置５を撮像可能であればよく、例えば、ヘルメット６におけるパイロット２の目の近傍に固定されてもよい。また、記録装置１００は、ヘルメット６等を介してパイロット２に装着される態様に限らず、操縦室内の機体に固定されてもよい。
【産業上の利用可能性】
【００７９】
本発明は、飛行データ記録システムに利用することができる。
【符号の説明】
【００８０】
１  航空機
２  パイロット
４  計器
５  操縦装置
１０、３０  飛行データ記録システム
１１０  撮像装置
１２０  位置検出装置
１３０  慣性計測装置
１６０  機内記録部
２２２、３８２  抽出部
２２４、３８４  データ加工部
【図１】
2019116127.tif 000003
【図２】
2019116127.tif 000004
【図３】
2019116127.tif 000005